【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
硬化可能な材料から３次元対象物（５０）を、滴（７０）の連続的な放出によって作製するための装置であって、前記材料は、出発状態において液相で存在するか、または液状化可能であり、
・作製すべき対象物（５０）のための物体支持体（１３，１３’、１３”）と、
・硬化可能な材料を滴（７０）の形で、軸（ｓ）に沿って前記物体支持体（１３，１３’、１３”）の方向に対象物（５０）を形成するために放出する放出開口部（１２ｂ）を備える放出ユニット（１２）と、
・一方で前記物体支持体（１３，１３’、１３”）および／または対象物（５０）の運動、他方で前記放出開口部（１２ｂ）の運動を相対的に互いに空間内で制御するための制御手段（８０）と、
一方で前記物体支持体（１３，１３’、１３”）および／または対象物（５０）と、他方で前記放出開口部（１２ｂ）とを相互に配向するための手段と、を有し、
該手段は前記制御手段（８０）によって制御可能であり、前記軸（ｓ）は、相互に配向された状態において、前記物体支持体（１３，１３’、１３”）の表面またはすでに作製された対象物（５０）の表面と交差し、
前記軸（ｓ）は、相互に配向された状態において、前記表面の接線に対して略垂直に、かつ重力の方向に配置されており、
前記物体支持体（１３，１３”）および／または対象物（５０）は多軸装置上に配置されており、
当該多軸装置は、４５°傾斜部（２４０）を備える角度テーブルを有し、
当該４５°傾斜部は、回転テーブルの別の４５゜傾斜部に回転モータ（２３１）を介して回転可能に支承されている、
ことを特徴とする装置。
【請求項２】
相互に配向された状態において前記軸（ｓ）は、前記物体支持体（１３，１３’、１３”）に形成すべき対象物（５０）のオーバーハング（５０’）を成形するように配向される、ことを特徴とする請求項１に記載の装置。
【請求項３】
硬化可能な材料から３次元対象物（５０）を、滴（７０）の連続的な放出によって作製する方法であって、前記材料は、出発状態において液相で存在するか、または液状化可能であり、
・前記硬化可能な材料を液相で提供、ないし液相に可塑化するステップと、
・当該液相を、クロック制御可能な放出ユニット（１２）に導入するステップと、
・放出ユニット（１２）の放出開口部（１２ｂ）から軸（s）に沿って、作製すべき３次元対象物（５０）用の物体支持体（１３，１３’、１３”）の方向に滴（７０）を放出し、一方では前記物体支持体（１３，１３’、１３”）および／または対象物（５０）と、他方では前記放出開口部（１２ｂ）とを相対的に相互に空間内で可動とするステップと、
を有し、
一方では物体支持体（１３，１３’、１３”）および／または対象物（５０）と、他方では前記放出開口部（１２ｂ）との互いに向き合った配向を位置制御し、
前記軸（ｓ）は、相互に配向された状態において、前記物体支持体（１３，１３’、１３”）の表面またはすでに作製された対象物（５０）の表面と交差し、
前記軸（ｓ）は、相互に配向された状態において、前記表面の接線に対して略直角に配置されており、前記滴は重力の方向に放出され、
前記物体支持体（１３，１３”）および／または対象物（５０）は多軸装置上に配置し、前記物体支持体および／または対象物は、４５°傾斜部（２４０）を備える角度テーブルによって回転モータ（２３１）を介して回転可能であり、
前記４５゜傾斜部は、回転テーブル（２２０）にある４５゜傾斜部と共同作用する、
ことを特徴とする方法。
【請求項４】
前記軸（ｓ）は、滴が前記物体支持体（１３，１３’、１３”）および／または対象物（５０）にオーバーハングとして付着されるように配向される、ことを特徴とする請求項３に記載の方法。
【手続補正２】
【補正対象書類名】明細書
【補正対象項目名】０００２
【補正方法】変更
【補正の内容】
【０００２】
発明の分野
本発明は、請求項１および３の上位概念による、硬化可能な材料から成る３次元対象物の作製装置および作製方法に関する。
【手続補正３】
【補正対象書類名】明細書
【補正対象項目名】０００６
【補正方法】変更
【補正の内容】
【０００６】
【特許文献１】ＥＰ１８８６７９３Ａ１
【特許文献２】ＤＥ１０２００９０３００９９Ａ１
【特許文献３】ＥＰ２１９９０８２Ａ１
【特許文献４】ＷＯ２００７／０８３３７２Ａ１
【特許文献５】ＷＯ２０１１／０１１８１８Ａ１
【特許文献６】ＵＳ７１６８９３５Ｂ１
【手続補正４】
【補正対象書類名】明細書
【補正対象項目名】０００８
【補正方法】変更
【補正の内容】
【０００８】
この課題は、請求項１の特徴を備える装置、並びに請求項３の特徴を備える方法によって解決される。
本発明の第１の視点によれば、硬化可能な材料から３次元対象物を、滴の連続的な放出によって作製するための装置であって、前記材料は、出発状態において液相で存在するか、または液状化可能であり、作製すべき対象物のための物体支持体と、硬化可能な材料を滴の形で、軸に沿って前記物体支持体の方向に対象物を形成するために放出する放出開口部を備える放出ユニットと、一方で前記物体支持体および／または対象物の運動、他方で前記放出開口部の運動を相対的に互いに空間内で制御するための制御手段と、一方で前記物体支持体および／または対象物と、他方で前記放出開口部とを相互に配向するための手段と、を有し、該手段は前記制御手段によって制御可能であり、前記軸は、相互に配向された状態において、前記物体支持体の表面またはすでに作製された対象物の表面と交差し、前記軸は、相互に配向された状態において、前記表面の接線に対して略垂直に、かつ重力の方向に配置されており、前記物体支持体および／または対象物は多軸装置上に配置されており、当該多軸装置は、４５°傾斜部を備える角度テーブルを有し、当該４５°傾斜部は、回転テーブルの別の４５゜傾斜部に回転モータを介して回転可能に支承されている、装置が提供される。
本発明の第２の視点によれば、硬化可能な材料から３次元対象物を、滴の連続的な放出によって作製する方法であって、前記材料は、出発状態において液相で存在するか、または液状化可能であり、前記硬化可能な材料を液相で提供、ないし液相に可塑化するステップと、当該液相を、クロック制御可能な放出ユニットに導入するステップと、放出ユニットの放出開口部から軸に沿って、作製すべき３次元対象物用の物体支持体の方向に滴を放出し、一方では前記物体支持体および／または対象物と、他方では前記放出開口部とを相対的に相互に空間内で可動とするステップと、を有し、一方では物体支持体および／または対象物と、他方では前記放出開口部との互いに向き合った配向を位置制御し、前記軸は、相互に配向された状態において、前記物体支持体の表面またはすでに作製された対象物の表面と交差し、前記軸は、相互に配向された状態において、前記表面の接線に対して略直角に配置されており、前記滴は重力の方向に放出され、前記物体支持体および／または対象物は多軸装置上に配置し、前記物体支持体および／または対象物は、４５°傾斜部を備える角度テーブルによって回転モータを介して回転可能であり、前記４５゜傾斜部は、回転テーブルにある４５゜傾斜部と共同作用する、方法が提供される。
（形態２）相互に配向された状態において前記軸は、前記物体支持体に形成すべき対象物のオーバーハングを成形するように配向されることが好ましい。
（形態４）前記軸は、滴が前記物体支持体および／または対象物にオーバーハングとして付着されるように配向されることが好ましい。
なお、特許請求の範囲に付記した図面参照番号はもっぱら理解を助けるためであり、図示の態様に限定することを意図するものではない。